(57)【要約】【課題】  外部接点及びアンテナ部を併設する情報記録媒体において、外部機器との送受信をより安全で信頼性あるものにできる情報記録媒体を提供する。【解決手段】  インターフェース確定手段２３は、外部接続端子１１からの信号の受信状態とアンテナ部１２からの信号の受信状態とを比べ、この比較結果に応じて外部接続端子１１とアンテナ部１２とのうちの一方のインターフェースを選択しこの選択結果を保持する。そして、セレクタ手段２５は、インターフェース確定手段２３が選択して保持したインターフェースのみを活性状態とする。【選択図】      図１
2004164677.tif 000002
【特許請求の範囲】
【請求項１】
データを保持する書き換え可能な情報記憶領域と、外部処理装置から受けた命令を実行する命令処理手段と、接触方式の通信手段を有する接触式外部処理装置と外部接続端子を介して情報の送受信及び／又はエネルギーの伝達を行う接触式インターフェースと、非接触方式の通信手段を有する非接触式外部処理装置とアンテナ部を介して情報の送受信及び／又はエネルギーの伝達を行う非接触式インターフェースとを具備する情報記録媒体において、
前記外部接続端子から受信した電圧のレベルと前記非接触式インターフェースのアンテナ部から受信した電圧のレベルとを比較し、この比較結果に応じて前記インターフェースの何れか一方を選択し、選択したインターフェースを示す情報を保持するインターフェース確定手段を有し、
前記命令処理手段は、前記インターフェース確定手段によって前記選択結果が保持された後、前記接触式インターフェースまたは前記非接触式インターフェースの再度の選択を行うことなく、当該保持された選択結果が示すインターフェースを介して命令の受信を継続し、受信した命令を実行することを特徴とする情報記録媒体。
【請求項２】
請求項１記載の情報記録媒体において、
前記インターフェース確定手段は、前記外部接続端子から受信した電圧のレベルと前記アンテナ部から受信した電圧のレベルとが同時に同じレベルに上昇した場合は、当該外部接続端子を優先して選択しこの選択結果を保持することを特徴とする情報記録媒体。
【請求項３】
請求項１又は２記載の情報記録媒体において、
前記外部接続端子から受けた命令がアクセス可能な領域と前記アンテナ部から受けた命令がアクセス可能な領域とに前記情報記憶領域を区別して制御するメモリ領域制御手段を具備することを特徴とする情報記録媒体。
【請求項４】
請求項１又は２記載の情報記録媒体において、
前記アンテナ部から受信した命令に対しては前記情報記憶領域へのデータの書き換え処理を禁止する書き換え制御手段を具備することを特徴とする情報記録媒体。
【請求項５】
請求項４記載の情報記録媒体において、
前記書き換え制御手段は、前記外部接続端子から受信した命令に対しては前記情報記憶領域における全ての領域について書き換え及び読み出し処理を許可し、前記アンテナ部から受信した命令に対しては前記情報記憶領域における一部の領域についての書き換え及び読み出し処理を禁止することを特徴とする情報記録媒体。
【請求項６】
請求項１、２、３、４又は５記載の情報記録媒体において、
当該情報記録媒体は、ＩＣカードであることを特徴とする情報記録媒体。
【発明の詳細な説明】
【技術分野】
【０００１】
本発明は、接触式インターフェース及び非接触式インターフェースを有し、いずれか一方を選択可能な情報記録媒体に関する。
【背景技術】
【０００２】
従来の情報記録媒体としては、ＩＣメモリ等を内蔵したＩＣカードがある。そして、従来のＩＣカードでは、外部機器とそのＩＣカード間でデータや電力等の送受信をするために、ＩＣカードの表面に設けた外部接点を外部機器の接点に接触させる接触方式とＩＣカードに内蔵したアンテナを用いる非接触方式との両方式を併有するものがあった。このようなＩＣカードとしては、例えば特許文献１や特許文献２に記載されているものがある。
【特許文献１】特開昭６０−１７９８９１号公報
【特許文献２】特開平７−２３９９３１号公報
【発明の開示】
【発明が解決しようとする課題】
【０００３】
ところで、従来の外部接点及びアンテナを併設するＩＣカードでは、外部接点を用いて送受信を行う外部機器である接触式外部処理装置とアンテナを用いて電波で送受信を行う外部機器である非接触式外部処理装置とが相互に接近して存在している場合に、接触式外部処理装置でデータの送受信を行おうとすると、非接触式外部処理装置の送受信可能範囲にＩＣカードが入った時点で、そのＩＣカードは非接触式外部処理装置とデータの送受信を開始してしまった。そして、そのＩＣカードがその状態のままで接触式外部処理装置にセットされると、外部接点からリセット信号等の電気信号がそのＩＣカードに与えられる。これにより、そのＩＣカードは、非接触式外部処理装置との送受信動作を途中で打ち切られてしまい、レスポンス異常を起こしてしまう。そして、リセット信号を接触式外部処理装置と非接触式外部処理装置とがそのＩＣカードに与え合うこととなり、これらは誤動作の原因となっていた。
【０００４】
また、非接触方式で送受信を行う場合において、ＩＣカードがもつ情報記録領域に対して書き込み処理が行われる時に、外部処理装置の送受信可能範囲からそのＩＣカードが外れることが考えられる。この場合は、その書き換え処理が途中で中断し、その送受信データが壊されてしまうことがあった。
【０００５】
本発明は、このような背景の下になされたものであり、外部接点及びアンテナを併設する情報記録媒体及び情報記録媒体用ＩＣモジュールにおいて、外部機器との送受信をより安全で信頼性あるものにすることができる情報記録媒体を提供することを目的とする。
【課題を解決するための手段】
【０００６】
上述した課題を解決するために、この発明は、データを保持する書き換え可能な情報記憶領域と、外部処理装置から受けた命令を実行する命令処理手段と、接触方式の通信手段を有する接触式外部処理装置と外部接続端子を介して情報の送受信及び／又はエネルギーの伝達を行う接触式インターフェースと、非接触方式の通信手段を有する非接触式外部処理装置とアンテナ部を介して情報の送受信及び／又はエネルギーの伝達を行う非接触式インターフェースとを具備する情報記録媒体において、前記外部接続端子から受信した電圧のレベルと前記非接触式インターフェースのアンテナ部から受信した電圧のレベルとを比較し、この比較結果に応じて前記インターフェースの何れか一方を選択し、選択したインターフェースを示す情報を保持するインターフェース確定手段を有し、前記命令処理手段は、前記インターフェース確定手段によって前記選択結果が保持された後、前記接触式インターフェースまたは前記非接触式インターフェースの再度の選択を行うことなく、当該保持された選択結果が示すインターフェースを介して命令の受信を継続し、受信した命令を実行することを特徴とする情報記録媒体を提供する。
【０００７】
好ましい態様において、前記インターフェース確定手段は、前記外部接続端子から受信した電圧のレベルと前記アンテナ部から受信した電圧のレベルとが同時に同じレベルに上昇した場合は、当該外部接続端子を優先して選択しこの選択結果を保持する。
【０００８】
他の好ましい態様において、情報記録媒体は、前記外部接続端子から受けた命令がアクセス可能な領域と前記アンテナ部から受けた命令がアクセス可能な領域とに前記情報記憶領域を区別して制御するメモリ領域制御手段を具備する。
【０００９】
また、他の好ましい態様において、情報記録媒体は、前記アンテナ部から受信した命令に対しては前記情報記憶領域へのデータの書き換え処理を禁止する書き換え制御手段を具備する。
【００１０】
この態様において、前記書き換え制御手段は、前記外部接続端子から受信した命令に対しては前記情報記憶領域における全ての領域について書き換え及び読み出し処理を許可し、前記アンテナ部から受信した命令に対しては前記情報記憶領域における一部の領域についての書き換え及び読み出し処理を禁止するようにしてもよい。
【００１１】
好ましい態様において、以上挙げてた情報記録媒体は、ＩＣカードである。
【発明の効果】
【００１２】
以上説明したように、本発明に係る情報記憶媒体によれば、データを保持する書き換え可能な情報記憶領域と、外部処理装置から受けた命令を実行する命令処理手段と、接触方式の通信手段を有する接触式外部処理装置と外部接続端子を介して情報の送受信及び／又はエネルギーの伝達を行う接触式インターフェースと、非接触方式の通信手段を有する非接触式外部処理装置とアンテナ部を介して情報の送受信及び／又はエネルギーの伝達を行う非接触式インターフェースとを具備する情報記録媒体において、前記外部接続端子から受信した電圧のレベルと前記非接触式インターフェースのアンテナ部から受信した電圧のレベルとを比較し、この比較結果に応じて前記インターフェースの何れか一方を選択し、選択したインターフェースを示す情報を保持するインターフェース確定手段を有し、前記命令処理手段は、前記インターフェース確定手段によって前記選択結果が保持された後、この保持された選択結果が示すインターフェースを介して命令の受信を継続し、受信した命令を実行するので、本情報記憶媒体が接触式外部処理装置と送受信をしている間に、非接触式外部処理装置がその本情報記憶媒体に近づいた場合でも、接触式外部処理装置との送受信が非接触式外部処理装置の電波によって影響を受けることなどを防止することができ、外部機器との送受信をより安全で信頼性あるものにすることができる情報記録媒体を提供することができる。
【００１３】
また、本発明によれば、メモリ制御手段がアンテナ部から受信した命令に対しては情報記憶領域へのデータの書き換え処理を禁止することで、情報記録媒体が移動して非接触外部処理装置の電波による送受信可能範囲外に出たときに、書き込み処理が途中で中断されることによる記録データの破壊を防ぐことができ、より安全で信頼性のある情報記録媒体を提供することができる。
【発明を実施するための最良の形態】
【００１４】
以下、図面を参照して、この発明の実施形態について説明する。
Ａ：実施形態の構成
【００１５】
図１は、本発明の一実施形態である情報記録媒体を示すブロック図である。同図において、情報記録媒体１０は、いわゆるＩＣカードである。外部接続端子１１は、接触方式の外部処理装置に対して接触することで電気的に導通してデータ等の通路となる電気信号又は電力用の端子であり、電源電圧供給用端子１１ａ、クロック周波数供給用端子１１ｂ、リセット信号供給用端子１１ｃ、データ送受信用端子１１ｄ及びアース用端子１１ｅからなっている。アンテナ部１２は、非接触方式の外部処理装置に対しての通信媒体となる電磁波を送受信するものであり、電源電圧及び動作クロック周波数供給用アンテナ部１２ａ、データ受信用アンテナ部１２ｂ及びデータ送信用アンテナ部１２ｃからなっている。電源回路１３は、電源電圧及び動作周波数を生成する。受信回路１４は、受信したアナログデータをデジタルデータに変換する。送信回路１５は、受信回路１４とは逆にデジタルデータをアナログデータへ変換して送信用アンテナ部１２ｃへ出力する。
【００１６】
ここで、アンテナ部１２は、図１に示すようなコイル形状のアンテナに限定されるものではない。例えば、トランスを２つに分割したような構成等からなって電磁結合で情報等を伝達するもの、マイクロストリップアンテナ等を用いてマイクロ波で情報等を伝達するもの、コア入りコイル等を用いて電磁誘導で情報を伝達するもの等を、アンテナ部１２として用いることができる。
【００１７】
また、図１では、アンテナ部１２が３つのコイルからなっているが、本発明はこれに限定されるものではなく、例えば、電源電圧及び動作クロック周波数供給用アンテナ部１２ａ、データ受信用アンテナ部１２ｂ及びデータ送信用アンテナ部１２ｃを、１つのコイルに集約してもよい。この点も各伝送方式によって構造が異なるものとなり、各伝送方式に応じた構造をアンテナ部１２として選択することができる。
【００１８】
また、ＰＲＯＭ１６は、外部処理装置から受信した命令を処理するためのプログラムが格納されている記憶手段である。ＲＡＭ１７は、本情報処理媒体１０がもつ情報や命令を処理する上でのデータを一時的に待避するための記憶手段である。メモリ１８は、本情報処理媒体１０についての固有データや書き換え可能データを格納しておく情報記憶領域である。制御部２０は、外部処理装置から受けた命令についての処理を実行すべく、本情報処理媒体全体の動作を制御する。
【００１９】
ここで、ＶＣＣレベル確認用ポート２２は、電源電圧供給用端子１１ａ及び動作クロック周波数供給用アンテナ部１２ａから供給されるそれぞれの電源電圧ＶＣＣのレベルをそれぞれ検出するためのポートである。また、ＶＣＣレベル確認用ポート２２は、電源電圧供給用端子１１ａから供給される電源電圧ＶＣＣのレベルを検出するためのポート１と、動作クロック周波数供給用アンテナ部１２ａから供給される電源電圧ＶＣＣのレベルを検出するためのポート２からなる。なお、電源電圧ＶＣＣのレベルは、一般に、Ｌｏｗレベルが０ボルトであり、Ｈｉｇｈレベルが３又は５ボルト程度である。
【００２０】
また、インターフェース確定手段２３は、ＶＣＣレベル確認用ポート２２において検出した電源電圧供給用端子１１ａから供給される電源電圧ＶＣＣのレベルと動作クロック周波数供給用アンテナ部１２ａから供給される電源電圧ＶＣＣのレベルとを比較して、レベルの高い方のインターフェースを選択しこの選択結果を保持する。セレクタ手段２５は、インターフェース確定手段２３によって保持されたインターフェースについての識別データをＲＡＭ１７に保持させるとともに、その識別データに基づいて接触式用インターフェース２１と非接触式用インターフェース２４とのうちの一方のインターフェイスのみを活性状態にする。コマンド処理手段２６は、セレクタ手段２５によって選択されたインターフェースから受信した命令であるコマンドブロックを処理する。
【００２１】
さらにまた、書き換え制御手段２８は、コマンド処理手段２６内で発生するメモリ１８への書き込みを、接触式用インターフェースの場合と非接触式用インターフェースの場合とで区別して制御する。また、メモリ領域制御手段２７は、コマンド処理手段２６内で発生するメモリ１８への書き込み及び読み出し要求に対して、接触式用インターフェースの場合と非接触式用インターフェースの場合とでアクセス可能な領域を区別して制御する。
【００２２】
Ｂ：実施形態の動作
次に、上記構成からなる情報記憶媒体の動作を説明する。
図２は、本情報記憶媒体の動作を示すフローチャートである。まず、制御部２０は、電源電圧供給用端子１１ａを介して接触方式の外部処理装置から供給される電源電圧ＶＣＣのレベルを電源電圧レベル確認用ポート２２において検出する（Ｓ１１）。そして、インターフェース確定手段２３は、電源電圧レベル確認用ポート２２が検出した電源電圧供給用端子１１ａのレベル（ポート１）がＨｉｇｈレベルか否かを判断する（Ｓ１２）。
【００２３】
ここで、インターフェース確定手段２３は、そのポート１のレベルがＨｉｇｈレベルである場合は、接触方式のインターフェースを選択、この選択結果を保持する（Ｓ１３）。そして、インターフェース確定手段２３は、その選択した接触式インターフェースの識別データをＲＡＭ１７に格納する（Ｓ１４）。
【００２４】
その後、セレクタ手段２５は、そのＲＡＭ１７に格納されているインターフェース識別データに基づいて接触式用インターフェース２１のみを活性状態にする（Ｓ１５）。そして、コマンド処理手段２６は、初期データを接触式用インターフェース２１を介して接触方式の外部処理装置へ送出する（Ｓ１６）。
その後、コマンド処理手段２６は、セレクタ手段２５によって選択されている接触式用インターフェース２１を介してコマンドブロックを受信する（Ｓ１７）。そして、コマンド処理手段２６は、その受信したコマンドについての処理を行う（Ｓ１８）。そして、コマンド処理手段２６は、その処理結果をレスポンスブロックとして接触方式の外部処理装置へ送出する（Ｓ１９）。
【００２５】
一方、ステップ１２において、電源電圧供給用端子１１ａから供給される電源電圧ＶＣＣのレベルがＨｉｇｈレベルではない場合は、インターフェース確定手段２３は非接触方式のインターフェースを選択しこの結果を保持する（Ｓ２０）。その後は、非接触式用インターフェース２４を介しての送受信が行われる（Ｓ１４からＳ１９）。
【００２６】
上述の動作では、ステップ１２において、ポート１の電源電圧ＶＣＣのレベルがＨｉｇｈレベルか否かで選択すべきインターフェースを判断しているが、本発明はこれに限らず、電源電圧ＶＣＣのレベルが高い方のインターフェースを選択してもよく、また、電源電圧供給端子１１ａの電位とアンテナ部１２ａの電位とが略同時に略同じ状態になった場合は、接触方式のインターフェースを優先して選択してもよい。
【００２７】
これらにより、本情報記憶媒体は、本情報記憶媒体が接触式外部処理装置と送受信をしている間に、本情報記録媒体が非接触式外部処理装置の送受信可能範囲に入った場合でも、接触式用インターフェース２１のみが活性状態であって非接触インターフェース２４は禁止状態となっているので、接触式外部処理装置との送受信が非接触式外部処理装置の電波によって影響を受けることを防止することができ、外部機器との送受信をより安全で信頼性あるものにすることができる。
【００２８】
また、本情報記憶媒体は、インターフェース確定手段が接触方式のインターフェースを非接触方式のインターフェースに優先して選択することで、接触式外部処理装置と非接触式外部処理装置とが近接して存在している場合において、接触式外部処理装置でデータの送受信を行いたいときに、非接触式外部処理装置の送受信可能範囲に本情報記憶媒体が入ったときでも接触式外部処理装置との送受信が選択できるので、所望のインターフェースを確実に選択することができるとともに、接触式及び非接触式の各インターフェース間の競合による誤動作の発生を抑制することができる。
【００２９】
Ｃ：変形例
図３は、上述の実施形態の変形例である情報記録媒体の動作を示すフローチャートである。本フローチャートは、図２に示すフローチャートにおけるステップ１８でのコマンド処理を具体的に示すものである。
【００３０】
まず、コマンド処理手段２６は、セレクタ手段２５によって選択されているインターフェースを介してコマンドブロックを受信し、そのコマンドにメモリ１８へのデータ書き換え処理が含まれていた場合は（Ｓ３１）、書き換え制御手段２８を用いて、選択しているインターフェースについての識別データをＲＡＭ１７から読み出す（Ｓ３２）。
【００３１】
ここで、書き換え制御手段２８は、その識別データが非接触式インターフェースを示すものであるか否かを判断し（Ｓ３３）、非接触式インターフェースを示すものである場合は、メモリ１８に対する書き換え処理を禁止する（Ｓ３４）。そして、書き換え制御手段２８は、エラーレスポンスをセットして（Ｓ３５）、コマンド処理を終了する。
【００３２】
一方、ステップ３３において識別データが接触式インターフェースを示すものである場合は、書き換え制御手段２８は、メモリ１８に対する書き換え処理を実行する（Ｓ３６）。そして、書き換え制御手段２８は、レスポンスブロックをセットして（Ｓ３７）、コマンド処理を終了する。
【００３３】
このように本実施形態において、書き換え制御手段２８は、接触式用インターフェース２１を介してコマンドブロックを処理する場合は、メモリ１８に対する書き換え処理を許可する。一方、非接触式用インターフェース２４を介してコマンドブロックを処理する場合は、メモリ１８に対する書き換え処理を禁止する。
【００３４】
これは、本情報記録媒体が接触式インターフェースを用いているときは、本情報記憶媒体が接触式外部処理装置に機械的に保持されていて安定して電源を供給されるので、この場合はメモリ１８に対する書き換え処理を許可するものである。
一方、非接触式用インターフェース２４を介してコマンドブロックを処理する場合は、本情報記憶媒体が非接触式外部処理装置の電波による送受信可能範囲の外へ出る可能性があって電源供給が不安定となるので、メモリ１８に対する書き換え処理を禁止するものである。
【００３５】
これらにより、本実施形態は、当該情報記録媒体が移動して非接触外部処理装置の電波による送受信可能範囲外に出たときに、書き込み処理が途中で中断されることによる記録データの破壊を防ぐことができ、より安全で信頼性のある情報記録媒体を提供することができる。
【００３６】
図４は、他の変形例である情報記録媒体の動作を示すフローチャートである。本フローチャートは、図２に示すフローチャートにおけるステップ１８でのコマンド処理を具体的に示すものである。
【００３７】
まず、コマンド処理手段２６は、セレクタ手段２５によって選択されているインターフェースを介してコマンドブロックを受信し、そのコマンドにメモリ１８へのデータ書き換え及び読み出し処理が含まれていた場合は（Ｓ４１）、メモリ領域制御手段２７を用いてメモリ１８ｂに対する処理か否かを判断する（Ｓ４２）。
【００３８】
ここで、メモリ領域制御手段２７は、メモリ１８ｂに対する処理であると判断した場合は、ＲＡＭ１７から選択しているインターフェースの識別データを読み出す（Ｓ４３）。そして、その識別データが非接触式インターフェースを示すものであるか否かを判断し（Ｓ４４）、非接触式インターフェースを示すものである場合は、メモリ１８ｂに対する書き換え及び読み出し処理を禁止する（Ｓ４５）。そして、メモリ領域制御手段２７は、エラーレスポンスをセットして（Ｓ４６）、コマンド処理を終了する。
【００３９】
一方、ステップ４２においてメモリ１８ｂに対する処理ではないと判断した場合またはステップ４４において識別データが接触式インターフェースを示すものである場合は、メモリ領域制御手段２７は、メモリ１８ａに対する書き換え及び読み出し処理を実行する（Ｓ４７）。そして、メモリ領域制御手段２７は、レスポンスブロックをセットして（Ｓ４８）、コマンド処理を終了する。
【００４０】
このように本実施形態において、メモリ領域制御手段２７は、接触式用インターフェース２１を介してコマンドブロックを処理する場合は、本情報記憶媒体が接触式外部処理装置に機械的に保持されていてホルダーがはっきりしておりセキュリティ的に安全性があるので、メモリ全体に対して書き換え及び読み出し処理を許可する。一方、非接触式用インターフェース２４を介してコマンドブロックを処理する場合は、非接触式外部処理装置の電波による送受信可能範囲内であれば他の複数の情報記録媒体が送受信可能となってセキュリティ的に安全性が低いので、メモリ１８の一部の領域であるメモリ１８ｂに対する書き換え及び読み出し処理を禁止する。
【００４１】
これらにより、本実施形態は、非接触式インターフェースによるメモリへの書き換え及び読み出し処理をメモリの一部の領域については禁止するので、セキュリティ的により安全性のある情報記録媒体を提供することができる。
【００４２】
図５は、上述の実施形態に対する構造についての変形例である情報記録媒体用ＩＣモジュール５０を示す裏面図である。本情報記録媒体用ＩＣモジュール５０は、接触式インターフェースとなる外部接点及び非接触式インターフェースとなるアンテナ部を併設するＩＣカードに組み込まれるモジュールである。
【００４３】
本情報記録媒体用ＩＣモジュール５０において、ＩＣチップ５２は、情報記録媒体用ＩＣモジュール５０の表面にある端子６１とその裏面とを電気的に導通させるスルーホール５８にワイヤボンディング５３で接続されている。また、アンテナ部５７に接続するために形成されている基板上のパターン５６におけるＩＣチップ側とＩＣチップ５２とをワイヤボンディング５３で接続した部分を非導電性保護樹脂によってモールドし、形成したモールド部５９のまわりにアンテナ部５７を配置している。
【００４４】
これらにより、本実施形態によれば、モールドしたＩＣチップ５２の周りにアンテナ部５７を配置しているので、情報記録媒体用ＩＣモジュール５０に対する物理的な強度がアップするとともに、従来の製造ラインを用いて本情報記録媒体用ＩＣモジュールを製造することができ、製造コストも従来のＩＣカード程度とすることができ、安価で機械的強度が大きく、かつ外部接点及びアンテナ部を具備するＩＣカードを提供することができる。
【００４５】
図６は、図５に示す情報記録媒体用ＩＣモジュールとその情報記録媒体用ＩＣモジュールが設置されるＩＣカードを示す断面図である。本実施形態では、ＩＣカード６４の空洞６２に接着剤層６３を設けて、ＩＣカード６４に情報記録媒体用ＩＣモジュール５０を接着する。
【００４６】
図７は、本実施形態における他の構造の情報記録媒体用ＩＣモジュールを示す裏面図である。この図において、ＩＣチップ５２は、情報記録媒体用ＩＣモジュール５０の表面にある端子６１とそのモジュールの裏面とを電気的に導通させるスルーホール５８から延びるパターン５６にワイヤボンディング５３で接続されている。また、ＩＣチップ５２は、アンテナ部５７に接続するために形成されている基板上のパターン５６のＩＣチップ５２側ワイヤボンディング５３で接続されている。また、アンテナ部５７の接続用パターン５６にアンテナ部５７が接続されている。ここで、アンテナ部５７がその接続部分を除き非導電性の皮膜で覆われているか、または、パターン５６とアンテナ部５７とが接触する部分のパターン５６表面上に絶縁性の皮膜５５を設けておく。そして、本情報記録媒体用ＩＣモジュール５０では、パターン５６及びアンテナ部５７を含めた部分を非導電性保護樹脂によってモールドしモールド部５９を形成している。
【００４７】
図８は、図７に示す情報記録媒体用ＩＣモジュールとその情報記録媒体用ＩＣモジュールが設置されるＩＣカードを示す断面図である。本実施形態では、ＩＣカード６４の空洞６２に接着剤層６３を設けて、ＩＣカード６４に情報記録媒体用ＩＣモジュール５０を接着する。
【００４８】
図９は、本実施形態における他の構造の情報記録媒体用ＩＣモジュールとその情報記録媒体用ＩＣモジュールが設置されるＩＣカードを示す断面図である。この図において、ＩＣカード６４の空洞６２に接着剤層６３を設けて、ＩＣカード６４に情報記録媒体用ＩＣモジュール５０を接着する点は、上述の実施形態と同じである。
【００４９】
ただし、本実施形態では、情報記録媒体用ＩＣモジュール５０において、アンテナ部５７のアンテナ導体は束ねられていて、そのアンテナが中空の円筒又は中空の角柱を形成している。そして、円筒又は角柱の形状としたアンテナ部５７の片面を情報記録媒体用ＩＣモジュール５０の基板６０裏面に接着剤層６３によって接着し、そのアンテナ部５７の他方の面をＩＣカード６４の空洞部位に接着剤層６３を用いて接着する構造としている。また、アンテナ部５７が形作る円筒又は角柱における中空部位の内に、ＩＣチップ５２を含む周囲を非導電性保護樹脂によってモールドしたモールド部５９が配置していある。このモールド部５９は、ＩＣカード６４の空洞６２の部位に情報記録媒体用ＩＣモジュール６０を配置した場合に、そのＩＣカード６４の空洞６２の底面にそのモールド部５９が接しない形状となっている。
【００５０】
これらにより、本実施形態によれば、導体が束ねられたアンテナ部５７がスプリングの役目をするので、ＩＣカード６４及び情報記録媒体用ＩＣモジュール５０に対する機械的なストレスを緩和することができる。
【００５１】
図１０は、本実施形態における他の構造の情報記録媒体用ＩＣモジュールを示す裏面図である。この図において、モジュール基板６０の裏面には、パターンにより形成したアンテナ部６５とＩＣチップ５２を含め周囲を非導電性保護樹脂によってモールドしたモールド部５９が形成してある。
【００５２】
図１１は、図１０に示す情報記録媒体用ＩＣモジュールとその情報記録媒体用ＩＣモジュールが設置されるＩＣカードを示す断面図である。本実施形態においても、ＩＣカード６４の空洞６２に接着剤層６３を設けて、ＩＣカード６４に情報記録媒体用ＩＣモジュール５０を接着する。
【図面の簡単な説明】
【００５３】
【図１】本発明の実施形態による情報記録媒体の構成を示すブロック図である。
【図２】同実施形態におけるセレクタ機能の動作を示すフローチャートである。
【図３】同実施形態における書き換え制御機能の動作を示すフローチャートである。
【図４】同実施形態におけるメモリ領域制御機能の動作を示すフローチャートである。
【図５】同実施形態における構造についての変形例を示す情報記録媒体用ＩＣモジュールの裏面図である。
【図６】図５に示す情報記録媒体用ＩＣモジュールとその情報記録媒体用ＩＣモジュールが設置されるＩＣカードを示す断面図である。
【図７】同実施形態における他の構造の情報記録媒体用ＩＣモジュールを示す裏面図である。
【図８】図７に示す情報記録媒体用ＩＣモジュールとその情報記録媒体用ＩＣモジュールが設置されるＩＣカードを示す断面図である。
【図９】同実施形態における他の構造の情報記録媒体用ＩＣモジュールとその情報記録媒体用ＩＣモジュールが設置されるＩＣカードを示す断面図である。
【図１０】同実施形態における他の構造の情報記録媒体用ＩＣモジュールを示す裏面図である。
【図１１】図１０に示す情報記録媒体用ＩＣモジュールとその情報記録媒体用ＩＣモジュールが設置されるＩＣカードを示す断面図である。
【符号の説明】
【００５４】
１０…情報記録媒体、１１…外部接続端子、１２…アンテナ部、１３…電源回路、１４…受信回路、１５…送信回路、１６…ＰＲＯＭ、１７…ＲＡＭ、１８…メモリ、２０…制御部、２２…ＶＣＣレベル確認用ポート、２３…インターフェース確定手段、２５…セレクタ手段、２６…コマンド処理手段、２７…メモリ領域制御手段、２８…書き換え制御手段。
【図１】
2004164677.tif 000003
【図２】
2004164677.tif 000004
【図３】
2004164677.tif 000005
【図４】
2004164677.tif 000006
【図５】
2004164677.tif 000007
【図６】
2004164677.tif 000008
【図７】
2004164677.tif 000009
【図８】
2004164677.tif 000010
【図９】
2004164677.tif 000011
【図１０】
2004164677.tif 000012
【図１１】
2004164677.tif 000013